(57)【要約】【課題】地上部分に肉薄部分があるような支柱であっても確実に引き抜くことができる支柱引抜装置を提供する。【解決手段】中空部材を引く抜く中空部材引抜装置であって、中空部に挿入して該中空部を内側から押圧してチャックするチャック機構部と、該チャック機構部を引抜方向に引っ張るジャッキ機構部とを備えたものである。また、チャック機構部は、チャック機構部を引抜き方向に引っ張ることによって中空部の内壁を押圧するチャック力が強くなるように構成されている。【選択図】  図１
2009078922.tif 000002
【特許請求の範囲】
【請求項１】
中空部材を引く抜く中空部材引抜装置であって、中空部に挿入して該中空部を内側から押圧してチャックするチャック機構部と、該チャック機構部を引抜方向に引っ張るジャッキ機構部とを備えたことを特徴とする中空部材引抜装置。
【請求項２】
チャック機構部は、チャック機構部を引抜き方向に引っ張ることによって中空部の内壁を押圧するチャック力が強くなるように構成されていることを特徴とする請求項１に記載の中空部材引抜装置。
【請求項３】
チャック機構部は、中空部の内壁を押圧して前記中空部をチャックするチャック部材と、ジャッキによって引抜方向に引っ張られることにより前記チャック部材に該チャック部材が前記中空部の内壁を押圧する押圧力を付与するブロック部材とを備えてなることを特徴とする請求項２に記載の中空部材引抜装置。
【請求項４】
ブロック部材とチャック部材は引抜方向に向かって縮径するテーパ面を介して接触していることを特徴とする請求項３に記載の中空部材引抜装置。
【請求項５】
チャック部材を引抜方向と逆方向に押し込むことにより、チャック部材が中空部材の内壁を押圧するように構成したことを特徴とする請求項３又は４に記載の中空部材引抜装置。
【請求項６】
ブロック部材は、チャック部材に当接するブロック体と、該ブロック体に連結されてジャッキ機構部からの引抜力を前記ブロック体に伝達する軸部材とを備え、該軸部材がその途中で連結及び切離しが自在になっていることを特徴とする請求項３〜５のいずれか一項に記載の中空部材引抜装置。
【請求項７】
ブロック部材の下端部に、チャック部材の下端部に当接可能なストッパ部材を設置し、ブロック部材を引き抜き方向に移動したときに前記ストッパ部材が前記チャック部材の下端部に当接してブロック部材とストッパ部材の相対移動を規制するようにしたことを特徴とする請求項３〜６のいずれか一項に記載の中空部材引抜装置。
【請求項８】
ストッパ部材がチャック部材の下端部に当接したときに、ブロック部材によって拡径されたチャック部材の外径が引抜対象とする中空部材の内径よりも大きく外径よりも小さくなるように設定されていることを特徴とする請求項７に記載の中空部材引抜装置。
【請求項９】
ブロック部材は複数の部材から構成し、各部材を径方向に移動可能に連結する連結部材によって連結したことを特徴とする請求項３〜８のいずれか一項に記載の中空部材引抜装置。
【請求項１０】
ジャッキを、中空部材の引抜方向から平面視したときに前記中空部材が占める領域から外れた位置に配置したことを特徴とする請求項１〜９のいずれか一項に記載の中空部材引抜装置。
【発明の詳細な説明】
【技術分野】
【０００１】
本発明は、例えばガードレールの支柱のような地中等に埋設、打設等された中空部材を引き抜くための中空部材引抜装置に関する。
【背景技術】
【０００２】
道路脇に設置されているガードレールの支柱は長期間風雨にさらされて老朽化する。そのため、老朽化の進んだ支柱に代えて新たな支柱を設置する必要がある。新たな支柱の設置に際しては既設の支柱を引き抜く必要があり、このための装置として支柱引抜装置が提案されている（特許文献１参照）。
【０００３】
特許文献１に提案された支柱引抜装置は、昇降ロッドを上に向けてジャッキ機構を設置し、この昇降ロッドの上端に昇降板を設け、この昇降板に支柱を外周から組付くように支持する筒状の支持部材を設ける。そして、この支持部材で支柱を支持して、ジャッキ機構の昇降ロッドを延ばすことで昇降板を持ち上げ、支柱を引き抜くというものである。
【０００４】
【特許文献１】特開２００５−１０５７７３号公報
【発明の開示】
【発明が解決しようとする課題】
【０００５】
特許文献１に記載の支柱引抜装置では、支柱の地上部分をその外周から組付くように支持してジャッキ機構によって引き抜くというものである。
しかしながら。ガードレールの支柱は屋外に設置されるものであり、支柱における地面との境目付近に水が溜まり、このため支柱における地面との境界部分が腐食する。
【０００６】
発明者が実際の支柱についてその地面との境界部分を観察したところによると、元々４．５ｍｍの厚みが腐食によって１ｍｍ程度になっていた。
このように、地面との境界部分が肉薄になっている支柱を、その地面よりも上部を支持して引き抜こうとすると、肉薄になっている部分が引抜時の引張り荷重に耐えられずに破断してしまい、支柱を引き抜くことができず、地中に支柱が残ってしまうという問題がある。
【０００７】
本発明はかかる課題を解決するためになされたものであり、地上部分に肉薄部分があるような支柱であっても確実に引き抜くことができる支柱引抜装置を提供することを目的としている。
【課題を解決するための手段】
【０００８】
（１）本発明に係る中空部材引抜装置は、中空部材を引く抜く中空部材引抜装置であって、中空部に挿入して該中空部を内側から押圧してチャックするチャック機構部と、該チャック機構部を引抜方向に引っ張るジャッキ機構部とを備えたことを特徴とするものである。
【０００９】
（２）また、上記（１）に記載のものにおいて、チャック機構部は、チャック機構部を引抜き方向に引っ張ることによって中空部の内壁を押圧するチャック力が強くなるように構成されていることを特徴とするものである。
【００１０】
（３）また、上記（２）に記載のものにおいて、チャック機構部は、中空部の内壁を押圧して前記中空部をチャックするチャック部材と、ジャッキによって引抜方向に引っ張られることにより前記チャック部材に該チャック部材が前記中空部の内壁を押圧する押圧力を付与するブロック部材とを備えたことを特徴とするものである。
【００１１】
（４）また、上記（３）に記載のものにおいて、ブロック部材とチャック部材は引抜方向に向かって縮径するテーパ面を介して接触していることを特徴とするものである。
【００１２】
（５）また、上記（４）または（３）に記載のものにおいて、チャック部材を引抜方向と逆方向に押し込むことにより、チャック部材が中空部材の内壁を押圧するように構成したことを特徴とするものである。
【００１３】
（６）また、上記（３）〜（５）のいずれかに記載のものにおいて、ブロック部材は、チャック部材に当接するブロック体と、該ブロック体に連結されてジャッキ機構部からの引抜力を前記ブロック体に伝達する軸部材とを備え、該軸部材がその途中で連結及び切離しが自在になっていることを特徴とするものである。
【００１４】
（７）また、上記（３）〜（６）のいずれかに記載のものにおいて、ブロック部材の下端部に、チャック部材の下端部に当接可能なストッパ部材を設置し、ブロック部材を引き抜き方向に移動したときに前記ストッパ部材が前記チャック部材の下端部に当接してブロック部材とストッパ部材の相対移動を規制するようにしたことを特徴とするものである。
【００１５】
（８）また、上記（７）に記載のものにおいて、ストッパ部材がチャック部材の下端部に当接したときに、ブロック部材によって拡径されたチャック部材の外径が引抜対象とする中空部材の内径よりも大きく外径よりも小さくなるように設定されていることを特徴とするものである。
【００１６】
（９）また、上記（３）〜（８）のいずれかに記載のものにおいて、ブロック部材は複数の部材から構成し、各部材を径方向に移動可能に連結する連結部材によって連結したことを特徴とするものである。
【００１７】
（１０）また、上記（１）〜（９）のいずれかに記載のものにおいて、ジャッキを、中空部材の引抜方向から平面視したときに前記中空部材が占める領域から外れた位置に配置したことを特徴とするものである。
【発明の効果】
【００１８】
本発明においては、中空部材を引く抜く中空部材引抜装置であって、中空部に挿入して該中空部を内側から押圧してチャックするチャック機構部と、該チャック機構部を引抜方向に引っ張るジャッキ機構部とを備えたことにより、地上部分に肉薄部分があるような支柱であっても確実に引き抜くことができる。
【発明を実施するための最良の形態】
【００１９】
［実施の形態１］
図１は本発明の一実施の形態に係る中空部材の引抜き装置の一例であるガードレールの支柱引抜き装置の説明図、図２〜図５は図１の部品の一部を説明する説明図である。
本実施の形態に係る支柱引抜装置１は、支柱３内に挿入されて支柱内壁を内側から押圧してチャックする４個のブロック体５からなる分割チャック７（図２参照）と、分割チャック７に係合して分割チャック７を押し広げるテーパブロック体９（図４参照）と、テーパブロック体９に固定された引張軸１１と、分割チャック７を支柱内に押し込む初期押込み用ナット１３と、引張軸１１に係合して引張軸１１を引抜方向に引っ張る反力フレーム１５と、反力フレーム１５を引き抜き方向に移動させる油圧ジャッキ１７とを備えている。
以下、各構成を詳細に説明する。
【００２０】
＜分割チャック＞
分割チャック７は、図２に示すように、４個のブロック体５からなり、これら４個のブロック体５を組み合わせることで全体が円柱形状になるように形成されている。図３は、４個のブロック体５のうちの１個を外した状態を示している。図３に示すように、各ブロック体５の内面には円弧状の凹溝１９が形成され、４個のブロック体５を円柱形状に組み合わせたときに、各凹溝１９がテーパ穴２１を形成する。テーパ穴２１は引抜方向に縮径しており、テーパの傾斜角度は、この例では約６度である。
【００２１】
各ブロック体５の外周面には円周方向に延びる多数の尖り山２３が形成されており、支柱引抜時において、この尖り山２３が支柱内面に食い込むことで支柱内面を強固にチャックできるようになっている。
また、各ブロックの高さ方向の２箇所には周方向に延びる周溝２５が形成され、この周溝２５にリング状の形状保持用ゴム２７を掛けることで、４個のブロックを円柱形状に保持できるようになっている（図３参照）。
分割チャック７の外径は、引抜の対象となる支柱３の内径より若干だけ小径に設定されている。
【００２２】
＜テーパブロック体＞
テーパブロック体９は、分割チャック７のテーパ穴２１に挿入されて、分割チャック７を押し広げる機能を有するものである。
テーパブロック体９は、図４に示すように、周面が引抜方向に縮径するテーパ状に形成された全体形状が円錐台形状からなる。テーパブロック体９の周面は、図４に示すように、テーパ穴２１の周面に当接するように形成されている。テーパブロック体９の上端部には引張軸１１の端部をねじ込むためのネジ穴が形成されている。
【００２３】
＜引張軸＞
引張軸１１は、一端がテーパブロック体９にネジ固定されてテーパブロック体９を引抜方向に引っ張る軸部材である（図４参照）。引張軸１１の上端部には反力ナット２９が着脱可能に取り付けられるように、第１ネジ部３１が形成されている。また、引張軸１１の下端部には初期押込み用ナット１３を軸方向移動可能に取り付けるための第２ネジ部３３が形成されている。
【００２４】
上記の分割チャック７、テーパブロック体９及び引張軸１１によって本発明のチャック機構部が構成される。
このような構造のチャック機構部においては、引張軸１１を引抜方向に引っ張ることにより、テーパブロック体９が分割チャック７のテーパ穴２１周面に当接しながら移動し、これによって分割チャック７が押し広げられる。このとき、分割チャック７が引抜対象の支柱３に挿入されていれば、分割チャック７の外周面に形成された尖り山２３が支柱３の内周面に食い込む。これによって、分割チャック７と支柱３との一体化が行なわれ、引張軸１１を引抜方向に引っ張ることでさらに一体化が強固となり、支柱３は引き抜かれる。
【００２５】
＜初期押込み用ナット＞
初期押込み用ナット１３は、支柱３の中空部に挿入された分割チャック７を支柱内に押し込むことによって分割チャック７の周面を支柱３の中空内壁部に押圧して一体化させるためのものである。
【００２６】
初期押込み用ナット１３は、引張軸１１の下端部に螺合して、下端面が分割チャック７の上端面に当接可能になっている。
したがって、初期押込み用ナット１３をねじ込むことにより、その下端面が分割チャック７の上端面を押圧し、分割チャック７を支柱内に押し込むことができる。分割チャック７を押し込むことにより、分割チャック７はテーパブロック体９の拡径側に移動するため、これによって押し広げられ、分割チャック７の外周面に形成された尖り山２３が支柱３の内周面に食い込む。この結果、分割チャック７と支柱３との一体化が行なわれ、引張軸１１を引抜方向に引っ張ったとしても、両者が確実に一体化されており、両者が分離することなく、確実な引抜ができる。
【００２７】
＜反力フレーム＞
反力フレーム１５は、油圧ジャッキ１７の力を引張軸１１に伝達するためのものである。
反力フレーム１５は、図１、図５に示すように、平面視の外形が長丸状に形成され、中央部には引張軸１１が挿通される引張軸挿通穴３５が設けられ、その両側にはジャッキ本体３７が挿入される一対のジャッキ本体挿入穴３９が設けられている。
ジャッキ本体３７はその後端側（伸張ロッドの反対側）からジャッキ本体挿入孔に挿入され、挿入状態では、ジャッキ本体３７の本体リング４１が反力フレーム１５に当接する（図１参照）。
【００２８】
反力フレーム１５は上板４３と下板４５と上下板の間に設置された筒状部材４７および板部材４８から形成されている。反力フレーム１５をこのような構造にすることにより、上下の板厚を厚くすることなく剛性を高められ、引き抜きの際に生ずる反力を、反力ナット２９を介して引張軸１１に確実に伝達できる。
【００２９】
＜動作説明＞
上記のように構成された本実施の形態の動作を、ガードレールの支柱引抜作業手順に従って説明する。
引抜の対象となるガードレールの支柱３における地上へ突出している部分を切断する。切断した支柱３の中空内面のほぼ中央にテーパブロック体９を、その拡径側を下にして挿入する。挿入されたテーパブロック体９に分割チャック７のテーパ穴２１を挿入するようにして分割チャック７を支柱内に挿入する。
【００３０】
下端部に初期押込み用ナット１３を取り付けた引張軸１１をテーパブロック体９の上端部にねじ込む。この状態でジャッキ本体３７を挿入した反力フレーム１５の引張軸挿通穴３５に引張軸１１を挿入し、油圧ジャッキ１７の伸縮ロッドの先端部を地面に当接させる。さらに、引張軸１１の上端部に反力ナット２９をねじ込みナットと反力フレーム１５を当接させる。
【００３１】
この状態で初期押込み用ナット１３をねじ込む。初期押込み用ナット１３をねじ込むことで、前述した作用により分割チャック７の外周面に形成した尖り山２３が支柱３の内周面に食い込み、分割チャック７を支柱内周面に固定できる。
この状態で油圧ジャッキ１７を駆動して油圧ジャッキ１７の伸縮ロッドを伸張させる。これによって、ジャッキ本体３７が反力フレーム１５を押し上げながら上方に移動し、その結果、引張軸１１が反力ナット２９を介して引き上げられる。引張軸１１が引き上げられると、上述した分割チャック７の動作によって分割チャック７が支柱内面をチャックした状態で上方に移動して、支柱３を引抜く。
【００３２】
以上のように、本実施の形態においては、地中にある支柱３をその内面からチャックするようにしているので、従来例の問題点で示したように引抜に際して支柱３が分断することで引抜ができなくなるようなことがなく、確実な引抜が実現できる。
【００３３】
また、本実施の形態ではテーパブロック体９を引抜方向に引っ張ることで分割チャック７が支柱内面に押圧される構造なので、引抜力が高くなればそれに従って分割チャック７が支柱３をチャックする力が強くなり、支柱３が強固に埋め込まれていても分割チャック７と支柱３とが滑ることなく確実に引抜きができる。
【００３４】
また、引張軸１１を反力フレーム１５で支持し、引張軸１１を挟んで両側に油圧ジャッキ１７を配置する構造にしているので、油圧ジャッキ１７と支柱３との間に支柱３が上方に移動するスペースを確保する必要がなく省スペースな構造になっている。
さらに、初期押込み用ナット１３を設け、これによって引抜前に分割チャック７を支柱内面に押圧して両者を一体化させるようにしたので、引抜初期に分割チャック７が支柱内面を滑ることがなく、確実に引抜ができる。
また、反力フレーム１５を、筒状部材を介在した構造にしているので、軽量化が実現できている。
【００３５】
［実施の形態２］
図６は、本発明の実施の形態２の説明図、図７は図６の軸線に沿った断面図である。
本実施の形態に係る支柱引抜装置５０は、分割チャック７と、テーパブロック体９と、引張軸１１と、初期押込み用ジャッキ５１と、反力フレーム５２と、油圧ジャッキ１７とを備えている。
【００３６】
本実施の形態の支柱引抜装置５０を構成する機器は基本的には実施の形態１のものと同様であり同様の部分には同一の符号を付してある。本実施の形態が実施の形態１と異なる点は、実施の形態１においては油圧ジャッキ１７を２本用いていたのに対して、本実施の形態では油圧ジャッキ１７が１本である点、および分割チャック７の初期押込みを行なうのに実施の形態１ではナットを用いていたが、本実施の形態ではジャッキを用いている点である。
以下の説明ではこの相違点を中心に説明する。
【００３７】
＜反力フレーム＞
本実施の形態に係る反力フレーム５２（ラムチェア）は、図６、図７に示すように、下端部が開口した筒状体からなり、側面には開口部が設けられている。筒状体の空間部が分割チャック７の移動空間となる。
反力フレーム５２の上端面はジャッキ本体３７の支持部となる。上端面には引張軸１１を挿入するための引張軸挿入穴が設けられている。
【００３８】
上記のように構成された反力フレーム５２は、下端の開口部のエリアに支柱が配置されるように設置する。そして、引張軸１１が反力フレーム５２の筒状空間を貫通して、さらにジャッキ本体内を貫通して油圧ジャッキ１７の先端ロッド側に反力ナット２９を介して連結される。
【００３９】
＜初期押込み用ジャッキ＞
初期押込み用ジャッキ５１は、実施の形態１における初期押込み用ナット１３と同様に、分割チャック７を支柱の中空部に挿入した状態で、分割チャック７を引抜方向と反対の方向に向かって押し込むことによって分割チャック７の周面を支柱の中空部に一体化させるためのものである。
【００４０】
図８は初期押込み用ジャッキ５１の外形図、図９はその断面図である。以下、図に基づいて初期押込み用ジャッキ５１の構造を説明する。
初期押込み用ジャッキ５１は、シリンダ５３と、シリンダ内に配置されてシリンダ５３に対して相対移動可能なピストンロッド５５と、シリンダ５３とピストンロッド５５の間に形成された油注入部５７とを備え、ピストンロッド５５が引張軸１１とネジ固定出来るようになっている。
油注入部５７にポート５９から油を注入することで、図１０に示すように、シリンダ５３を下方に移動させ、シリンダ５３の下端面が分割チャック７を支柱内に押し込む。
分割チャック７を押し込んだときの作用については実施の形態１で説明したのと同様である。
【００４１】
＜動作説明＞
上記のように構成された本実施の形態の動作を説明する。基本的な動作は実施の形態１と同様なので、異なる点を中心に説明する。
引抜対象の支柱の中空内面のほぼ中央にテーパブロック体９を挿入し、挿入されたテーパブロック体９に挿入するように分割チャック７を支柱内に挿入する。下端部に初期押込み用ジャッキ５１を取り付けた引張軸１１をテーパブロック体９の上端部にねじ込む。この状態で反力フレーム５２を設置し、さらに反力フレーム上に油圧ジャッキ１７を設置する。そして、引張軸１１の上端に反力ナット２９をねじ込み、反力ナット２９と油圧ジャッキ１７のロッド先端とを当接させる。
【００４２】
この状態で初期押込み用ジャッキ５１に作動油を供給してシリンダ５３を下動させる。初期押込み用ジャッキ５１のシリンダ５３を下動させることで、初期押込み用ジャッキ５１のシリンダ５３が分割チャック７の上面を押し下げ、分割チャック７がテーパブロック体９によって押し広げられる。このため、分割チャック７の外周面に形成した尖り山２３が支柱の内周面に食い込み、分割チャック７を支柱内周面に固定できる。
この状態で油圧ジャッキ１７を駆動して油圧ジャッキ１７のロッドを伸張させる。これによって、反力ナット２９を介して引張軸１１が引抜方向（上方向）に移動して、支柱を引抜く。
【００４３】
［実施の形態３］
図１１は本発明の実施の形態３の説明図である。本実施の形態は、分割チャック６４とテーパブロック体の他の態様に関するものである。
本実施の形態のテーパブロック体６０は、円柱形状の円柱ブロック体６１の周面４箇所に軸方向に延びるテーパ溝６３が形成されたものである。そして、本実施の形態の分割チャック６４は、テーパ溝６３に挿入できるテーパ面を有し、外側面に多数の尖り山２３を形成した４枚の板状体６５からなるものである。
【００４４】
分割チャック６４を構成する各板状体６５は、平板状であってもよいし、図１２に示すように、平断面がＴ字状に形成してもよい。一方、テーパブロック体６０に設けたテーパ溝６３の溝形状は板状体６５の形状に合うように形成すればよく、板状体６５が平板状の場合には図１１に示すような矩形状でよいし、板状体６５がＴ字状の場合には図１２に示すようにこれに合うように形成する。もっとも、テーパ溝６３に挿入された状態で板状体６５がテーパブロック体６０の径方法に移動できる必要があるので、板状体６５がＴ字状の場合には、板状体６５をテーパ溝６３に挿入した状態において両者間には隙間が生ずるように溝形状を設定する。
【００４５】
板状体６５の形状をＴ字状にすることで、板状体６５のテーパブロック体６０への挿入を円滑にできると共に板状体６５とテーパブロック体６０とがバラバラにならずに保持できる。
なお、板状体６５の平断面形状はＴ字状に限られるものではなく、要するに板状体６５をテーパブロック体６０に挿入した状態で板状体６５がテーパブロック体６０の径方向に抜け出さないような形状であればよく、例えば径外方向が上底となる台形であってもよい。
【００４６】
上記のように構成された本実施の形態においては、支柱の引抜動作に際して、テーパブロック体６０を支柱内に挿入し、テーパブロック体６０の各テーパ溝６３に板状体６５を挿入する。そして、図１３に示すように、初期押込み用ナット１３の下方に分割チャック６４を構成する各板状体６５の上面に当接するような脚部材６７を設置して、初期の押込みを行なうようにする。
その後の動作は実施の形態１、２と同様である。
【００４７】
本実施の形態においては、分割チャック６４を板状のものにしたことで、取替えなどを簡易にでき、コストを低減できる。
なお、各板状体６５の外側面に形成する尖り山２３は、図１１、図１２に示すようにその全長に亘るものでもよいし、図１３に示すように、外側面の一部に形成するものでもよい。
【００４８】
［実施の形態４］
図１４は本発明の実施の形態４の説明図である。
上記の他の実施の形態では分割チャックとテーパブロック体を別部材で構成し、テーパブロックで分割チャックを押し広げるという構造のものであったが、本実施の形態では、テーパブロック体をなくして分割チャックのみで構成したものである。
【００４９】
本実施の形態に係る分割チャックは、図１４に示されるように、第１分割チャック部材６９と第２分割チャック部材７１の２つの部材から構成される。第１分割チャック部材６９及び第２分割チャック部材７１は周面が円弧状に形成され、一側面に傾斜面が形成されており、両者は傾斜面を合わせることにより、外形が円柱形状になる。
第１分割チャック部材６９及び第２分割チャック部材７１の周面には周方向に延びる尖り山２３が多数形成されている。また、第１分割チャック部材６９の上端部には引張軸１１がねじ込み可能になっている。
【００５０】
上記のように構成された本実施の形態においては、傾斜面を合わせて円柱形状に組み合わせた状態で分割チャックを支柱内に挿入し、第１分割チャック部材６９を引き上げようとすると第１分割チャック部材６９が第２分割チャック部材７１に対して上方に移動し、円柱体の径が拡径することになり、分割チャックが支柱中空内壁に強く押し付けられ、分割チャックを支柱内面に固定できる。
【００５１】
なお、初期押込み時においては、第２分割チャック部材７１を押し下げるようにすることで、円柱体の径を拡径し、支柱内壁を押圧できる。
【００５２】
本実施の形態によれば、部品点数を少なくできることから、コストを低減できるという効果がある。
なお、図１５に示すように、第１分割チャック部材６９及び第２分割チャック部材７１の当接部における側面（図中の斜線部分）を切削して平面にすることで、分割チャックの拡径時においてスムーズな押圧が実現できる。
【００５３】
［実施の形態５］
図１６は本発明の実施の形態５に係る中空部材の引抜装置の説明図である。本実施の形態は、実施の形態１と同様にガードレールの支柱引抜き装置に関するものであり、図１６において、実施の形態１と同一部分には同一の符号を付してある。
【００５４】
本実施の形態に係る支柱引抜装置８０は、基本的な構成は実施の形態１と同様であり、支柱３内に挿入されて支柱内壁を内側から押圧してチャックする４個のブロック体５からなる分割チャック７（図１６、図３参照）と、分割チャック７に係合して分割チャック７を内側から押し広げるテーパブロック体９（図１６、図４参照）と、テーパブロック体９に固定された引張軸１１と、分割チャック７を支柱内に押し込む初期押込み用ナット１３と、引張軸１１に係合して引張軸１１を引抜方向に引っ張る反力フレーム１５と、反力フレーム１５を引き抜き方向に移動させる油圧ジャッキ１７とを備えている。
以下、各構成を詳細に説明する。
【００５５】
＜分割チャック＞
図１７は分割チャック７の説明図であり、分割チャック７の斜視図と平面図が示されている。
分割チャック７の基本的な構成は、図２に示した実施の形態１に示したものと同様であり、４個のブロック体５からなり、これら４個のブロック体５を組み合わせることで全体が円柱形状になるように形成されている。各ブロック体５の内面には円弧状の凹溝が形成され、４個のブロック体５を円柱形状に組み合わせたときに、各凹溝がテーパ穴を形成する点も実施の形態１のものと同様である。
【００５６】
もっとも、本実施の形態における分割チャック７には、図１７に示すように、その上部に各ブロック体５を連結するブロック体連結部材８１が設けられている。ブロック体連結部材８１は全体形状がリング状からなり、周方向９０度毎の４箇所に径方向に延びる長穴８３が形成されている。各長穴８３には案内ボルト８５が挿入され、案内ボルト８５の下端側が各ブロック体５の上面にねじ込まれている。したがって、各ブロック体５は案内ボルト８５をガイドとして長穴８３に案内されて径方向に移動できるようになっている。
図１７（ａ）は、テーパブロック体９が分割チャック７に対して下方に位置しており、分割チャック７が縮径した状態を示し、図１７（ｂ）は図１７（ａ）に示した状態からブロック体５が上方に移動して分割チャック７が拡径した状態を示している。
【００５７】
ブロック体連結部材８１を設けることにより、分割チャック７を構成している各ブロック体５がバラバラに分離することがなく各ブロック体５を同時に支柱３に挿入できるため作業性に優れると共に、拡径及び縮径の動作をスムーズに行なうことができる。
【００５８】
＜テーパブロック体＞
テーパブロック体９についても、その基本構成は、実施の形態１に示したものと同様である。もっとも、本実施の形態においては、テーパブロック体９の下端部に分割チャック７の下端部に当接してテーパブロック体９と分割チャック７の相対移動を規制するストッパ部材８７を設置しているが実施の形態１と相違する。
ストッパ部材８７は、テーパブロック体９に着脱可能に設置するエンドストッパ８９と、エンドストッパ８９の上方に載置される２個の調整リング９１から構成される。調整リング９１の厚み又は枚数を調整することにより、ストッパ部材８７と分割チャック７下端部との隙間９３を調整でき、これによってテーパブロック体９の分割チャック７に対する上下方向の移動可能距離を調整できる。
図１７に示す例では、厚み１０ｍｍの調整リング９１を２枚設置したものが示されている。
なお、ストッパ部材８７の外径は分割チャック７が縮径した状態の外径より小径に設定されている。
【００５９】
図１８はストッパ部材８７の作用を説明する図であり、図１８（ａ）（ｂ）はそれぞれ図１７（ａ）（ｂ）それぞれの状態の断面を模式的に示してある。
図１８（ａ）に示す状態からテーパブロック体９を上方に引き上げることにより、テーパブロック体９が分割チャック７を押し広げる。そして、ストッパ部材８７の上端面すなわち上側の調整リング９１の上端面が分割チャック７の下端面に当接すると、テーパブロック体９は分割チャック７に対してそれ以上移動することができず、分割チャック７はそれ以上押し広げられなくなる。このため、分割チャック７が際限なく押し広げられる場合には分割チャック７が支柱３を押し広げすぎ、支柱３が埋められているコンクリートが割れたりすることも考えられるが、ストッパ部材８７を設けることでこれを防止できる。
【００６０】
ストッパ部材８７の上端面が分割チャック７の下端面に当接した状態で、テーパブロック体９をさらに引き上げると、分割チャック７はテーパブロック体９側面の摩擦力に加えてストッパ部材８７からの押し上げ力を受けて引き上げられる。
したがって、実施の形態１の場合にはテーパブロック体９側面の摩擦力のみであったが、本実施の形態においては実施の形態１の摩擦力に加えてストッパ部材８７からの押し上げ力が付与されるので支柱３をチャックした分割チャック７を確実に引き上げられる。
【００６１】
このように、ストッパ部材８７は分割チャック７を押し広げる限度を規制し、かつ分割チャック７の引き上げを確実にするという機能を有する。この点、分割チャック７を押し広げる限度を規制するという観点からは、分割チャック７を押し広げる度合いが小さすぎると分割チャック７と支柱３との一体化が弱くなり、また分割チャック７を押し広げる度合いが大きすぎると、前述したように、支柱３を埋設しているコンクリートを割ってしまうことが考えられ、分割チャック７を押し広げる度合いを適切な限度に設定することが好ましい。
この点について、発明者は分割チャック７とテーパブロック体９の相対移動距離を種々設定して実験を行なったところ、分割チャック７を最大拡径したときにその外径が引き抜き対象の支柱３の内径よりも大きく、外径未満になるように設定するのが好ましいことが分かった。
【００６２】
＜引張軸＞
引張軸１１は、一端がテーパブロック体９にネジ固定されてテーパブロック体９を引抜方向に引っ張る軸部材である（図１６参照）。
実施の形態１においては、引張軸１１が一体であったが、本実施の形態の引張軸１１は、図１９に示すように、途中でカプラ９５によって連結される構造になっている。つまり、本実施の形態の引張軸１１は、テーパブロック体９と連結される下側の引張軸１１ａと反力フレーム１５に連結される上側の引張軸１１ｂとがカプラ９５によって連結され、軸の途中で連結及び切離しが自在にできるようになっている。このため、上側の引張軸１１ｂを反力フレームに連結した状態でテーパブロック体９と切離すことができる。
【００６３】
このように、引張軸１１をカップラによって連結及び切離しを自在にしたことにより、以下のような効果が得られる。
実施の形態１のように引張軸１１が一体の場合には、一つの支柱３の引抜作業が終了すると引張軸１１を反力フレーム１５から外し、実施の形態１の動作説明で説明したようにテーパブロック体９の支柱内部への挿入、分割チャック７の設置、再び引張軸１１の反力フレーム１５への設置という作業を行なう必要があり、必ずしも作業性がよくない。
これに対して、本実施の形態のように、引張軸１１をその途中で連結及び切離しが自在になるようにしておけば、図１９に示すようにカプラ９５よりも下側に配置されるチャック機構部９７を複数製作して複数の支柱３に予め挿入しておき、引抜が終了した時点でカップラ９５によって下側の引張軸１１ａを切離し、別の引張軸１１ａと連結して引抜を行なうことが可能となり、作業性が格段に向上する。
【００６４】
このように引張軸１１をその途中で連結及び切離しが自在にして、図１９（ｂ）に示すチャック機構部９７を支柱３に先に挿入できるようにすると、挿入状態でチャック機構部９７を保持できるようにする必要がある。
そこで、本実施の形態においては、図１９（ｂ）に示すように、分割チャック７を支柱３に挿入状態で所定の位置に保持する分割チャック保持部材９９を設けている。分割チャック保持部材９９は、ブロック体連結部材８１の上面２箇所に立設されたポール１０１と、一端側がポール１０１に連結されて径外方向に延びるアーム１０３と、アーム１０３の他端に上下方向の位置調整可能に設けられた位置調整ボルト１０５を備えている。
分割チャック保持部材９９は、分割チャック７を支柱３に挿入した状態で、位置調整ボルト１０５の下端を支柱３の周囲のコンクリート面等に当接させることによって分割チャック７を保持する。また、２個の位置調整ボルト１０５の調整によって支柱３の傾きに応じた分割チャック７の保持が可能になる。
【００６５】
なお、引張軸１１の上部に、反力ナット２９が取り付けられ、また、引張軸１１の下端部には初期押込み用ナット１３が取り付けられている点は実施の形態１と同様である。
また、分割チャック７、テーパブロック体９及び引張軸１１が本発明のチャック機構部９７を構成している点も実施の形態１と同様である。
【００６６】
＜初期押込み用ナット＞
初期押込み用ナット１３の構造およびその作用については実施の形態１と同様である。
【００６７】
＜反力フレーム＞
反力フレーム１５の構造及び作用についても実施の形態１と同様である。なお、本実施の形態においては、図１６、図１９（ａ）に示すように、反力フレーム１５に油圧配管１０７が設置され、油圧カプラ１０９が設けられている。
【００６８】
＜動作説明＞
図２０〜図２６は上記のように構成された本実施の形態の動作を、ガードレールの支柱引抜作業手順に従って説明する説明図である。以下、図２０〜図２６に基づいて本実施の形態の動作を説明する。
引抜の対象となるガードレールの支柱３における地上へ突出している部分を切断する。そして、切断した支柱３の中空部にチャック機構部９７を挿入する（図２０、図２１参照）。このチャック機構部９７の挿入時においては、分割チャック保持部材９９を把持することによって、図２０に示すように、テーパブロック体９が分割チャック７に対して下方に移動するので、分割チャック７はテーパブロック体９によって押し広げられることなく縮径状態になり、分割チャック７を支柱３に容易に挿入することができる。
チャック機構部９７を挿入した状態では、図２１に示すように、位置調整ボルト１０５の下端をコンクリート面に当接させることによって分割チャック７を保持する。
【００６９】
次に、図２２に示すように、カプラ９５を引き上げることによってテーパブロック体９を分割チャック７に対して上方に移動させ、分割チャック７を拡径させて分割チャック７の外周面を支柱内面に当接させる。
次に、図２３に示すように、初期押込み用ナット１３を回転させて下方に移動させ、初期押込み用ナット１３によってブロック体連結部材８１を押し下げ、これによって分割チャック７をテーパブロック体９に対して下方に移動させ分割チャック７をさらに拡径して分割チャック７を支柱３の内面に強く押し付ける。
【００７０】
次に、上側の引張軸１１ｂ及び油圧ジャッキ１７を設置した反力フレーム１５を、図２４に示すように配置し、カプラ９５によって上側の引張軸１１ｂと下側の引張軸１１ａを連結する。連結後に、図示しない油圧ポンプからの油圧配管１０７を油圧カプラ１０９に接続する。
この状態で油圧ジャッキ１７を駆動して油圧ジャッキ１７の伸縮ロッドを伸張させる。これによって、ジャッキ本体３７が反力フレーム１５を押し上げながら上方に移動し、その結果、引張軸１１が反力ナット２９を介して引き上げられる。引張軸１１が引き上げられると、上述した分割チャック７の動作によって分割チャック７が支柱内面をチャックした状態で上方に移動して、支柱３を引抜く（図２５参照）。
図２６に示すように支柱３の引抜が完了すると、上側の引張軸１１ｂをカプラ９５から切り離し、ジャッキストロークを戻す。ジャッキストロークを戻した後、これを他の支柱３に設置してあるチャック機構部９７と連結して上記と同様の動作によって支柱３の引抜を行なう。
【００７１】
以上のように、本実施の形態においては、実施の形態１で説明した効果に加えて以下のような効果が得られている。
分割チャック７の上部にブロック体連結部材８１を設けたことにより、分割チャック７を構成している各ブロック体５がバラバラに分離することなくチャック機構部９７を一括して支柱内部に挿入でき作業性に優れると共に、分割チャック７の拡径及び縮径の動作をスムーズに行なうことができる。
【００７２】
また、テーパブロック体９の下部にストッパ部材８７を設けたことにより、分割チャック７の拡径範囲を適正な範囲に制御でき、分割チャック７による支柱３のチャックを適切に行なうことができると共に、分割チャック７によって支柱３をチャックした状態で引き上げる際に分割チャック７に対してストッパ部材８７からの押し上げ力を付与できるので分割チャック７を確実に引き上げられる。
【００７３】
さらに、カプラ９５によって引張軸１１の連結及び切離しを自在にできるようにしたことにより、カプラ９５よりも下側に配置されるチャック機構部９７を複数製作して複数の支柱３に挿入しておき、引抜が終了した時点でチャック機構部９７を切離し、別のチャック機構部９７の引張軸１１ａと連結して引抜を行なうことが可能となり、作業性が格段に向上する。
【００７４】
上記の実施の形態１〜５においては、中空部材の引抜き装置の一例としてガードレールの支柱引抜き装置について説明したが、本発明の中空部材の引抜き装置はこれに限られるものではなく、地中その他に埋設、打ち込み等された様々な中空部材を引く抜く際に利用できる。
【図面の簡単な説明】
【００７５】
【図１】本発明の実施の形態１に係る支柱引抜装置の説明図である。
【図２】図１に示した支柱引抜装置の部品の説明図である。
【図３】図１に示した支柱引抜装置の部品の説明図である。
【図４】図１に示した支柱引抜装置の部品の説明図である。
【図５】図１に示した支柱引抜装置の部品の説明図である。
【図６】本発明の実施の形態２に係る支柱引抜装置の説明図である。
【図７】図６の縦断面図である。
【図８】図５に示した支柱引抜装置の部品の説明図である。
【図９】図８に示した部品の断面図である。
【図１０】図８に示した部品の断面図である。
【図１１】本発明の実施の形態３に係る支柱引抜装置の部品の説明図である。
【図１２】本発明の実施の形態３に係る支柱引抜装置の部品の説明図である。
【図１３】本発明の実施の形態３に係る支柱引抜装置の部品の説明図である。
【図１４】本発明の実施の形態４に係る支柱引抜装置の部品の説明図である。
【図１５】本発明の実施の形態４に係る支柱引抜装置の部品の説明図である。
【図１６】本発明の実施の形態５に係る支柱引抜装置の説明図である。
【図１７】本発明の実施の形態５に係る支柱引抜装置の部品の説明図である。
【図１８】本発明の実施の形態５の動作説明図である。
【図１９】本発明の実施の形態５に係る支柱引抜装置の構造を説明する説明図である。
【図２０】本発明の実施の形態５の支柱引抜装置を用いた支柱引抜方法の説明図である。
【図２１】本発明の実施の形態５の支柱引抜装置を用いた支柱引抜方法の説明図である。
【図２２】本発明の実施の形態５の支柱引抜装置を用いた支柱引抜方法の説明図である。
【図２３】本発明の実施の形態５の支柱引抜装置を用いた支柱引抜方法の説明図である。
【図２４】本発明の実施の形態５の支柱引抜装置を用いた支柱引抜方法の説明図である。
【図２５】本発明の実施の形態５の支柱引抜装置を用いた支柱引抜方法の説明図である。
【図２６】本発明の実施の形態５の支柱引抜装置を用いた支柱引抜方法の説明図である。
【符号の説明】
【００７６】
１  支柱引抜装置
３  支柱
５  ブロック体
７  分割チャック
９  テーパブロック体
１１  引張軸
１３  初期押込み用ナット
１５  反力フレーム
１７  油圧ジャッキ
１９  凹溝
２１  テーパ穴
２３  尖り山
２９  反力ナット
５０  支柱引抜装置
５１  初期押込み用ジャッキ
５２  反力フレーム
６０  テーパブロック体
６１  円柱ブロック体
６３  テーパ溝
６４  分割チャック
６５  板状体
６７  脚部材
６９  第１分割チャック部材
７１  第２分割チャック部材
８０  支柱引抜装置
８１  ブロック体連結部材
８３  長穴
８５  案内ボルト
８７  ストッパ部材
８９  エンドストッパ
９１  調整リング
９３  隙間
９５  カプラ
９７  チャック機構部
９９  分割チャック保持部材
１０１  ポール
１０３  アーム
１０５  位置調整ボルト
１０７  油圧配管
１０９  油圧カプラ
【図１】
2009078922.tif 000003
【図２】
2009078922.tif 000004
【図３】
2009078922.tif 000005
【図４】
2009078922.tif 000006
【図５】
2009078922.tif 000007
【図６】
2009078922.tif 000008
【図７】
2009078922.tif 000009
【図８】
2009078922.tif 000010
【図９】
2009078922.tif 000011
【図１０】
2009078922.tif 000012
【図１１】
2009078922.tif 000013
【図１２】
2009078922.tif 000014
【図１３】
2009078922.tif 000015
【図１４】
2009078922.tif 000016
【図１５】
2009078922.tif 000017
【図１６】
2009078922.tif 000018
【図１７】
2009078922.tif 000019
【図１８】
2009078922.tif 000020
【図１９】
2009078922.tif 000021
【図２０】
2009078922.tif 000022
【図２１】
2009078922.tif 000023
【図２２】
2009078922.tif 000024
【図２３】
2009078922.tif 000025
【図２４】
2009078922.tif 000026
【図２５】
2009078922.tif 000027
【図２６】
2009078922.tif 000028